(57)【特許請求の範囲】
【請求項１】
互いに回転伝達可能に接続された内輪および外輪を有し、前記内輪にシャフトが嵌合し、前記シャフトの前記内輪の近傍部に樹脂製のブーツが被せられ、このブーツの両側の端部に設けられた筒状のブーツ固定部が前記シャフトの外周および前記外輪の外周に嵌合し、これらブーツ固定部の外周に設けたブーツバンドにより前記各ブーツ固定部を前記シャフトの外周および前記外輪の外周に締め付け固定する等速自在継手において、両側のブーツ固定部のうちいずれか一方または両方を、相手方部材である前記シャフトの外周および前記外輪の外周にそれぞれ締め付け固定するブーツ固定方法であって、
前記ブーツバンドの外周にコイルを配置し、このコイルに１／１０００秒以下の通電時間で電流を流すことで前記ブーツバンドに誘導電流を発生させ、コイルとブーツバンド間に発生する磁場の反力によりブーツバンドを縮径状態に塑性変形させて前記ブーツ固定部を前記相手部材の外周に固定し、前記ブーツバンドの締付け量を前記ブーツ固定部の肉厚の１５％ないし６０％の範囲に設定することを特徴とする等速自在継手のブーツ固定方法。
【請求項２】
請求項１において、少なくとも前記外輪の外周への前記ブーツ固定部の締め付けを、前記コイルへの前記通電により行う等速自在継手のブーツ固定方法。
【請求項３】
請求項１または請求項２において、前記ブーツバンドが、外周面が全体に渡って平坦な断面形状の円環状である等速自在継手のブーツ固定方法。
【請求項４】
請求項１ないし請求項３のいずれか１項において、前記ブーツバンドの材質が、アルミニウムまたはステンレス鋼である等速自在継手のブーツ固定方法。
【請求項５】
請求項１ないし請求項４のいずれか１項において、前記ブーツバンドの肉厚を３mm以下とした等速自在継手のブーツ固定方法。
【請求項６】
互いに回転伝達可能に接続された内輪および外輪を有し、前記内輪にシャフトが嵌合した等速自在継手であって、前記シャフトの前記内輪の近傍部に樹脂製のブーツが被せられ、このブーツの両側の端部に設けられた筒状のブーツ固定部が前記シャフトの外周および前記外輪の外周に嵌合し、これらブーツ固定部の外周に設けたブーツバンドにより前記各ブーツ固定部を前記シャフトの外周および前記外輪の外周に締め付け固定し、両側のブーツ固定部のうちいずれか一方または両方を、前記ブーツバンドの外周に配置したコイルに１／１０００秒以下の通電時間で電流を流すことで前記ブーツバンドに誘導電流を発生させ、コイルとブーツバンド間に発生する磁場の反力によりブーツバンドを縮径状態に塑性変形させることで、前記シャフトの外周または前記外輪の外周に締め付け固定し、前記ブーツバンドの締付け量を、前記ブーツ固定部の肉厚の１５％ないし６０％の範囲に設定したことを特徴とする等速自在継手。
【発明の詳細な説明】
【技術分野】
【０００１】
この発明は、自動車用などの等速自在継手等に取り付けられる樹脂製のブーツの固定方法に関する。
【背景技術】
【０００２】
自動車の等速自在継手においては、その継手内部への塵埃などの異物の侵入防止や、継手内部に封入されたグリースの漏洩防止を目的として、筒状の樹脂製ブーツが装着される。このブーツの等速自在継手への固定は、ブーツの両端の環状固定部を等速自在継手の外輪と内輪シャフトとに嵌合させ、これら環状固定部の外径側から金属製のブーツバンドで締め付けることにより行なわれるが、上記したシール性を確保するためには、所定の締め代で精度良く締め付ける必要がある。等速自在継手では、その機能上から、特にアウトボード側の作動角をインボード側に比べて大きくとることが必要であるため、アウトボード側における外輪でのブーツ固定箇所においてグリースの漏洩が起こり易い。
【０００３】
そこで、等速自在継手の外輪へのブーツ固定部の固定において、そのブーツ固定部の外周と内周とに、それぞれ周方向に延びる環状凸部を一体に設け、その内周の環状凸部を外輪の外周に設けた周方向に延びる環状係合溝に係合させるとともに、ブーツ固定部の外周側からブーツバンドを締め付ける方法が提案されている（例えば特許文献１）。この固定方法によると、ブーツ固定部の外周の環状凸部がブーツバンドの締め付け力によって内周側に圧迫されるので、ブーツ固定部の内周の環状凸部が弾性変形を起こし、その内周側が外輪の係合溝側に変位して強く係合密着する。
【特許文献１】特開平０７−１４５８６３号公報
【発明の開示】
【発明が解決しようとする課題】
【０００４】
しかし、上記したブーツ固定方法の場合、ブーツ固定部の形状が複雑になることから、コスト増を招くという問題がある。また、等速自在継手の外輪側ではスペースに制約があることから、ブーツ固定部の外周に環状凸部を形成するのでは設計に無理が生じやすく、車両走行中に前記環状凸部に石などの硬化物が衝突した場合、締め付け力が低下してシール性を損なうなどの問題もある。
【０００５】
この発明の目的は、コスト増を招くことなく、ブーツ固定箇所の高いシール性を確保できる等速自在継手のブーツ固定方法を提供することである。
【課題を解決するための手段】
【０００６】
この発明の等速自在継手のブーツ固定方法は、互いに回転伝達可能に接続された内輪および外輪を有し、前記内輪にシャフトが嵌合し、前記シャフトの前記内輪の近傍部に樹脂製のブーツが被せられ、このブーツの両側の端部に設けられた筒状のブーツ固定部が前記シャフトの外周および前記外輪の外周に嵌合し、これらブーツ固定部の外周に設けたブーツバンドにより前記各ブーツ固定部を前記シャフトの外周および前記外輪の外周に締め付け固定する等速自在継手において、両側のブーツ固定部のうちいずれか一方または両方を、相手方部材である前記シャフトの外周および前記外輪の外周にそれぞれ締め付け固定するブーツ固定方法において、前記ブーツバンドの外周にコイルを配置し、このコイルに１／１０００秒以下の通電時間で電流を流すことで前記ブーツバンドに誘導電流を発生させ、コイルとブーツバンド間に発生する磁場の反力によりブーツバンドを縮径状態に塑性変形させて前記ブーツ固定部を前記相手部材の外周に固定し、前記ブーツバンドの締付け量を前記ブーツ固定部の肉厚の１５％ないし６０％の範囲に設定することを特徴とする。
この構成によると、磁場の反力を利用するので、ブーツ固定部と相手部材の外周の全体に均一に押圧力を加えることができ、ブーツ固定部の固定箇所での高いシール性を確保することができる。また、従来例の場合のように、ブーツ固定部を複雑な形状とする必要がないので、コスト増を招くこともない。また、前記ブーツバンドは、誘導電流により加熱されるが、その時間は短時間であるため、前記ブーツ固定部に与える熱影響は小さく問題とならない。
【０００７】
等速自在継手においては、その継手内部への塵埃などの異物の侵入防止や、継手内部に封入されたグリースの漏洩防止を目的として、筒状の樹脂製ブーツが装着される。ブーツの両端のブーツ固定部を等速自在継手の外輪と内輪シャフトとに固定するのに、上記ブーツ固定方法を適用すると、前記シール性を確保できるので、継手内部への塵埃の侵入や継手内部からのグリースの漏洩を防止できる。
【０００８】
この発明において、前記ブーツバンドは、外周面が全体に渡って平坦な断面形状の円環状であっても良い。この構成の場合、ブーツバンドが簡素な形状となるので、等速自在継手の外輪へのブーツ固定部の固定においては、スペースの余裕がない外輪の周囲に広いスペースを確保できる。
【０００９】
この発明において、前記ブーツバンドの材質が、アルミニウムまたはステンレス鋼であっても良い。この構成の場合、ブーツバンドが簡素な形状となるので、等速自在継手の外輪へのブーツ固定部の固定においては、スペースの余裕がない外輪の周囲に広いスペースを確保できる。
【００１０】
この発明において、前記ブーツバンドの肉厚を３mm以下としても良い。ブーツバンドの肉厚を３mm以下とすると、磁場の反力により塑性変形させる作用を得やすい。
【００１１】
この発明の等速自在継手は、互いに回転伝達可能に接続された内輪および外輪を有し、前記内輪にシャフトが嵌合した等速自在継手であって、前記シャフトの前記内輪の近傍部に樹脂製のブーツが被せられ、このブーツの両側の端部に設けられた筒状のブーツ固定部が前記シャフトの外周および前記外輪の外周に嵌合し、これらブーツ固定部の外周に設けたブーツバンドにより前記各ブーツ固定部を前記シャフトの外周および前記外輪の外周に締め付け固定し、両側のブーツ固定部のうちいずれか一方または両方を、前記ブーツバンドの外周に配置したコイルに１／１０００秒以下の通電時間で電流を流すことで前記ブーツバンドに誘導電流を発生させ、コイルとブーツバンド間に発生する磁場の反力によりブーツバンドを縮径状態に塑性変形させることで、前記シャフトの外周または前記外輪の外周に締め付け固定し、前記ブーツバンドの締付け量を前記ブーツ固定部の肉厚の１５％ないし６０％の範囲に設定したことを特徴とする。
この構成によると、ブーツ固定部の固定箇所でのシール性を確保でき、継手内部への塵埃の侵入や軸受内部からのグリースの漏洩を防止できる。
【発明の効果】
【００１２】
この発明の等速自在継手のブーツ固定方法は、互いに回転伝達可能に接続された内輪および外輪を有し、前記内輪にシャフトが嵌合し、前記シャフトの前記内輪の近傍部に樹脂製のブーツが被せられ、このブーツの両側の端部に設けられた筒状のブーツ固定部が前記シャフトの外周および前記外輪の外周に嵌合し、これらブーツ固定部の外周に設けたブーツバンドにより前記各ブーツ固定部を前記シャフトの外周および前記外輪の外周に締め付け固定する等速自在継手において、両側のブーツ固定部のうちいずれか一方または両方を、相手方部材である前記シャフトの外周および前記外輪の外周にそれぞれ締め付け固定するブーツ固定方法であって、前記ブーツバンドの外周にコイルを配置し、このコイルに１／１０００秒以下の通電時間で電流を流すことで前記ブーツバンドに誘導電流を発生させ、コイルとブーツバンド間に発生する磁場の反力によりブーツバンドを縮径状態に塑性変形させて前記ブーツ固定部を前記相手部材の外周に固定し、前記ブーツバンドの締付け量を前記ブーツ固定部の肉厚の１５％ないし６０％の範囲に設定することとしたため、コスト増を招くことなく、ブーツ固定箇所の高いシール性を確保できる。
この発明の等速自在継手は、互いに回転伝達可能に接続された内輪および外輪を有し、前記内輪にシャフトが嵌合した等速自在継手であって、前記シャフトの前記内輪の近傍部に樹脂製のブーツが被せられ、このブーツの両側の端部に設けられた筒状のブーツ固定部が前記シャフトの外周および前記外輪の外周に嵌合し、これらブーツ固定部の外周に設けたブーツバンドにより前記各ブーツ固定部を前記シャフトの外周および前記外輪の外周に締め付け固定し、両側のブーツ固定部のうちいずれか一方または両方を、前記ブーツバンドの外周に配置したコイルに１／１０００秒以下の通電時間で電流を流すことで前記ブーツバンドに誘導電流を発生させ、コイルとブーツバンド間に発生する磁場の反力によりブーツバンドを縮径状態に塑性変形させることで、前記シャフトの外周または前記外輪の外周に締め付け固定し、前記ブーツバンドの締付け量を前記ブーツ固定部の肉厚の１５％ないし６０％の範囲に設定したため、ブーツ固定部の固定箇所でのシール性を確保でき、継手内部への塵埃の侵入や軸受内部からのグリースの漏洩を防止することができる。
【発明を実施するための最良の形態】
【００１３】
この発明の一実施形態を図１および図２と共に説明する。図１は、この実施形態のブーツ固定方法を、ブーツの相手部材である等速自在継手に適用した説明図である。そのうち、図１（Ａ）はブーツ固定前の状態を示し、図１（Ｂ）はブーツ固定完了の状態を示す。等速自在継手１は固定式のものであり、外輪２、内輪３、内輪シャフト４、トルク伝達用の転動体であるボール５、およびボール５を保持するケージ６からなる。外輪２は、図１に示すカップ部とステム部（図示せず）とで構成される。外輪２のカップ部内面は球形とされ、その球形内面には複数（６または８）のトラック溝７が軸方向に形成されている。内輪３の外面は球形とされ、その球形外面にも複数（６または８）のトラック溝８が形成されている。これら各外輪トラック溝７と内輪トラック溝８との間に複数（６または８）のボール５がそれぞれ組み込まれる。ケージ６は、各ボール５を同一平面内に保持する部材であり、周方向の複数箇所に設けられたポケット６ａ内にボール５が保持される。内輪３は内周にセレーションまたはスプライン等の凹凸部を有する中央孔９を備え、この中央孔９に内輪シャフト４の一端部がトルク伝達可能に嵌合している。なお、内輪シャフト４は内輪３と一体に形成されたものであっても良い。
【００１４】
前記等速自在継手１には、その継手内部への塵埃などの異物の侵入防止や、継手内部に封入されたグリースの漏洩防止を目的として、筒状の樹脂製ブーツ１１が装着される。
この実施形態のブーツ固定方法は、樹脂製のブーツ１１の両端部に設けられた筒状のブーツ固定部１２，１３を、相手部材である前記等速自在継手１の外周に嵌合させ、前記各ブーツ固定部１２，１３の外周に設けたブーツバンド１５，１６に締め付け力を与えることにより、ブーツ固定部１２，１３を等速自在継手１の外周に固定するものである。
【００１５】
図１（Ａ）のように、樹脂製のブーツ１１は、両端の筒状のブーツ固定部１２，１３を蛇腹部１４で繋いだ一体品とされ、大径とされた一端のブーツ固定部１２が等速自在継手１の外輪２の外周に嵌合し、小径とされた他端のブーツ固定部１３が等速自在継手１の内輪シャフト４の外周に嵌合する。これにより、内輪シャフト４における内輪３の近傍部に樹脂製のブーツ１１が被せられる。
【００１６】
前記各ブーツ固定部１２，１３の外周には、それぞれ金属製のブーツバンド１５，１６が配置される。この場合の配置は、緩やかな締め付け状態であっても良い。ブーツバンド１５，１６は、外周面が全体に渡って平坦な断面形状の円環状とされる。ブーツバンド１５，１６の材質として、導電性材料であるアルミニウムあるいはステンレス鋼などの金属材料が用いられる。また、縮径させて塑性変形が可能な材質とされる。ブーツバンド１５，１６の肉厚は３mm以下とされる。
【００１７】
さらに、前記各ブーツバンド１５，１６の外周にはコイル１７が配置される。このコイル１７に急峻な電流を流すことで各ブーツバンド１５，１６に誘導電流を発生させる。これによりコイル１７とブーツバンド１５，１６間に発生する磁場の反力で、図１（Ｂ）のように、ブーツバンド１５，１６を縮径状態に塑性変形させて、ブーツ固定部１２，１３を外輪２および内輪シャフト４の外周に締め付け固定する。
【００１８】
図２は、前記コイル１７に電流を流したときに磁場の反力が生じる作用を模式的に示した説明図である。このとき、ブーツバンド１５，１６内に生じる渦電流に起因した磁束と、コイル電流による磁束間で、反力Ｆ１，Ｆ２が発生する。同図において、符号Ｍａはコイル１７の回りに生じる磁力線を、符号Ｍｂは渦電流による磁力線をそれぞれ示す。このときの反力Ｆ２により、ブーツバンド１５，１６が急速に縮径状態に塑性変形する。
【００１９】
この場合、コイル１７に流す電流を調整することにより、ブーツバンド１５，１６の締付け力を調整することができ、コイル電流の通電時間は１／１０００秒以下で十分な締め付けが可能である。また、ブーツバンド１５，１６は、誘導電流により加熱されるが、その時間は短時間であるため、ブーツ固定部１２，１３に与える熱影響は小さく問題とならない。ここでは、ブーツバンド１５，１６の締付け量を、ブーツ固定部１２，１３の肉厚の１５％ないし６０％になるように設定し、締付けを行なった。締付け量がブーツ固定部１２，１３の肉厚の１５％未満であると、締付け力が弱くグリース漏れが発生し、また締付け量がブーツ固定部１２，１３の肉厚の６０％以上だと、締付け部分のブーツ固定部１２，１３が薄肉となってブーツ固定が困難になるからである。
【００２０】
この実施形態のブーツ固定方法によると、磁場の反力を利用するので、ブーツ固定部１２，１３と相手部材である等速自在継手１の外輪２および内輪シャフト４の外周の全体に均一に押圧力を加えることができ、ブーツ固定部１２，１３の固定箇所での高いシール性を確保することができる。また、従来例の場合のように、ブーツ固定部１２，１３を複雑な形状とする必要がないので、コスト増を招くこともない。
【００２１】
このように、ブーツ１１の両端のブーツ固定部１２，１３を等速自在継手１の外輪２と内輪シャフト４とに固定するのに、上記ブーツ固定方法を適用すると、ブーツ固定部１２，１３の固定箇所でのシール性を確保できるので、継手内部への塵埃の侵入や継手内部からのグリースの漏洩を確実に防止できる。
【００２２】
なお、この実施形態では、等速自在継手１の外輪２と内輪シャフト４とにブーツ固定部１２，１３を固定するのに上記ブーツ固定方法を適用したが、アウトボード側に位置する外輪２へブーツ固定部１２を固定する場合にだけ上記ブーツ固定方法を適用しても良い。等速自在継手１では、特にアウトボード側の作動角をインボード側に比べて大きくとることが必要であるため、アウトボード側における外輪２へのブーツ固定部１２の固定に上記ブーツ固定方法を適用することにより、外輪２でのブーツ固定箇所においてグリースの漏洩を確実に防止できる。
【００２３】
また、この実施形態では、ブーツバンド１５，１６を、外周面が全体に渡って平坦な断面形状の円環状としているので、ブーツバンド１５，１６が簡素な形状となる。そのため、等速自在継手１の外輪２へのブーツ固定部１２の固定においては、スペースの余裕がない外輪２の周囲に広いスペースを確保できる。
【００２４】
また、この実施形態では、ブーツバンド１５，１６の肉厚を３mm以下としているので、磁場の反力により塑性変形させる作用，効果を得やすい。
【図面の簡単な説明】
【００２５】
【図１】この発明のブーツ固定方法の一実施形態の説明図である。
【図２】同ブーツ固定方法においてコイルに電流を流したときに磁場の反力が生じる作用を模式的に示した説明図である。
【符号の説明】
【００２６】
１…等速自在継手（相手部材）
２…外輪
４…内輪シャフト
１１…ブーツ
１２，１３…ブーツ固定部
１５，１６…ブーツバンド
１７…コイル
【図１】
0005366378.tif 000002
【図２】
0005366378.tif 000003